(57)【要約】【課題】急速充電装置において、充電ケーブルを短時間で筐体に取り付けることができるようにする。【解決手段】充電ケーブルユニット３は、充電ケーブル２１と、板状に形成され、充電ケーブル２１を板厚方向に挿通させる取付板部２２と、取付板部２２に設けられ、充電ケーブル２１を締め付けて取付板部２２に固定するケーブル固定部２３と、を備える。【選択図】図４
2020099163.tif 000002
【特許請求の範囲】
【請求項１】
充電ケーブルと、
板状に形成され、前記充電ケーブルを板厚方向に挿通させる取付板部と、
前記取付板部に設けられ、前記充電ケーブルを締め付けて前記取付板部に固定するケーブル固定部と、
を備える充電ケーブルユニット。
【請求項２】
前記板厚方向において前記取付板部の少なくとも一方側に設けられて、前記充電ケーブルを支持する支持部を備える請求項１に記載の充電ケーブルユニット。
【請求項３】
前記支持部は、前記取付板部の第一主面側に設けられた第一支持部を含み、
環状に形成され、前記取付板部の第一主面から延びる前記充電ケーブルの第一部位を挿通させるコアと、
前記第一支持部に取り付けられ、前記充電ケーブルの第一部位を保持すると共に、前記コアを前記取付板部との間に保持する保持部と、
を備える請求項２に記載の充電ケーブルユニット。
【請求項４】
前記取付板部の第一主面に、前記取付板部のうち前記充電ケーブルが挿通する部分を囲む環状に形成された封止部材が設けられている請求項１から請求項３のいずれか一項に記載の充電ケーブルユニット。
【請求項５】
前記取付板部の第一主面側に設けられて、前記充電ケーブルを支持する第一支持部を備え、
前記第一支持部には、弾性変形可能に形成され、前記板厚方向に直交する直交方向における前記第一支持部の端部から突出する突起が設けられている請求項１から請求項４のいずれか一項に記載の充電ケーブルユニット。
【請求項６】
請求項１から請求項５のいずれか一項に記載の充電ケーブルユニットと、
前記充電ケーブルが通る挿通口を形成した壁部を含む筐体と、
前記充電ケーブルが前記挿通口に挿通され、かつ、前記取付板部が前記壁部に重ねられた状態で、前記取付板部を前記壁部に着脱自在に固定する固定部材と、
を備える急速充電装置。
【発明の詳細な説明】
【技術分野】
【０００１】
この発明は、充電ケーブルユニット、及び、急速充電装置に関する。
【背景技術】
【０００２】
特許文献１には、電気自動車などの車両の蓄電池に充電するための充電装置が開示されている。充電装置は、内部に充電用の回路部を設けた筐体と、当該回路部に接続されると共に筐体の外側に引き出される充電ケーブルと、を備える。充電ケーブルの長手方向の第一端には、筐体内部の回路部に接続される接続端子が設けられている。一方、充電ケーブルの第二端には、充電ケーブルを車両に接続するための充電用コネクタが一体に設けられている。
【０００３】
充電装置には、短時間で車両の蓄電池に充電する急速充電装置がある。急速充電装置では、充電ケーブルに大電流を流す必要がある。このため、充電ケーブルは筐体に対して以下のように取り付けられる。はじめに、充電ケーブルの第一端側の部位を筐体の壁部に形成された挿通口に通す。この際、充電ケーブルの接続端子が筐体内部の回路部に届くように、筐体内部における充電ケーブルの長さを調整する。その後、筐体の挿通口に設けられたケーブル固定部（ケーブルグランド）によって充電ケーブルを締め付けて、充電ケーブルを筐体に固定する。最後に、充電ケーブルの接続端子を筐体内部の回路部に接続する。
【先行技術文献】
【特許文献】
【０００４】
【特許文献１】特開２０１２−０１９６０９号公報
【発明の概要】
【発明が解決しようとする課題】
【０００５】
急速充電装置においては、充電用コネクタの接点寿命に基づき、充電ケーブルを定期的に交換する必要がある。しかしながら、充電ケーブルを筐体に取り付ける際には、筐体内部における充電ケーブルの長さを適正に調整する必要がある。また、ケーブル固定部によって充電ケーブルを適正に締め付ける必要がある。例えば、ケーブル固定部による充電ケーブルの締め付け力が不足すると、水分が筐体の挿通口を通して筐体の内部に侵入する可能性があり、品質を確保し難い。以上のことから、充電ケーブルを筐体に取り付けるための作業時間が長くなってしまう、という問題がある。
急速充電装置では、充電ケーブルの重量が重い（例えば２０ｋｇ程度）ため、充電ケーブルの取り付け作業時間が長いと、充電ケーブルの取付作業が重労働となってしまい、好ましくない。
【０００６】
本発明は、上述した事情に鑑みたものであって、充電ケーブルを短時間で筐体に取り付けることができる充電ケーブルユニット及び急速充電装置を提供することを目的とする。
【課題を解決するための手段】
【０００７】
本発明の一態様は、充電ケーブルと、板状に形成され、前記充電ケーブルを板厚方向に挿通させる取付板部と、前記取付板部に設けられ、前記充電ケーブルを締め付けて前記取付板部に固定するケーブル固定部と、を備える充電ケーブルユニットである。
【０００８】
本発明の一態様は、前記充電ケーブルユニットと、前記充電ケーブルが通る挿通口を形成した壁部を含む筐体と、前記充電ケーブルが前記挿通口に挿通され、かつ、前記取付板部が前記壁部に重ねられた状態で、前記取付板部を前記壁部に着脱自在に固定する固定部材と、を備える急速充電装置である。
【発明の効果】
【０００９】
本発明によれば、充電ケーブルを短時間で筐体に取り付けることができる。
【図面の簡単な説明】
【００１０】
【図１】本発明の一実施形態に係る急速充電装置を示す斜視図である。
【図２】本発明の一実施形態に係る急速充電装置の要部を示す斜視図である。
【図３】本発明の一実施形態に係る充電ケーブルユニットを筐体に取り付ける前の状態を示す斜視図である。
【図４】本発明の一実施形態に係る充電ケーブルユニットの要部を示す斜視図である。
【図５】本発明の一実施形態に係る充電ケーブルユニットの要部を示す側面図である。
【図６】図５のVI−VI矢視断面図である。
【発明を実施するための形態】
【００１１】
以下、図１〜６を参照して本発明の一実施形態について説明する。
図１に示すように、本実施形態に係る急速充電装置１は、筐体２と、充電ケーブルユニット３と、を備える。
【００１２】
図２に示すように、筐体２の内部には、充電ケーブルユニット３の充電ケーブル２１と接続する回路部１１が設けられている。図３に示すように、筐体２は、充電ケーブル２１が通る挿通口１２を形成した壁部を含む。
図１〜３に示すように、本実施形態の筐体２には、鉛直方向（図１〜３において上下方向）に延びる筐体２の側面２ａから窪む窪み部１３が形成されている。挿通口１２は、当該窪み部１３の内面をなす壁部に形成されている。
【００１３】
図２，３に示すように、窪み部１３の内面をなす壁部は、上部壁１４と、下部壁１５と、を含む。
上部壁１４は、鉛直方向において窪み部１３の上部に位置する。上部壁１４は、例えば筐体２の側面２ａから筐体２の内側に向けて筐体２の側面２ａに直交する方向に延びてもよい。本実施形態の上部壁１４は、筐体２の側面２ａから筐体２の内側に向かうにしたがって鉛直方向の下側に向かうように傾斜して延びている。筐体２の外側に向く上部壁１４の面は、平坦に形成されている。本実施形態において、挿通口１２は窪み部１３の上部壁１４に形成されている。
【００１４】
下部壁１５は、鉛直方向において窪み部１３の下部に位置し、上部壁１４に対向する。下部壁１５は、例えば筐体２の側面２ａから筐体２の内側に向けて筐体２の側面２ａに直交する方向に延びてもよい。本実施形態の下部壁１５は、筐体２の側面２ａから筐体２の内側に向かうにしたがって鉛直方向の上側に向かうように傾斜して延びている。筐体２の外側に向く下部壁１５の面は、上部壁１４の面と同様に、平坦に形成されている。
これら上部壁１４と下部壁１５とは、その延長方向の先端において互いに接続されている。
【００１５】
図１に示すように、筐体２は、充電ケーブルユニット３の充電用コネクタ２５を保持するコネクタ保持部１６をさらに備える。コネクタ保持部１６は、筐体２の任意の部位に設けられてよい。本実施形態において、コネクタ保持部１６は窪み部１３を形成した筐体２の側面２ａに設けられている。
【００１６】
図１〜４に示すように、充電ケーブルユニット３は、充電ケーブル２１と、取付板部２２と、ケーブル固定部２３と、を備える。
【００１７】
充電ケーブル２１は、筐体２内部の回路部１１と接続するための接続端子２４と、充電ケーブル２１を車両に接続するための充電用コネクタ２５とを含む。
接続端子２４は、充電ケーブル２１の長手方向の第一端に設けられている。接続端子２４には、電源端子２４１と、信号端子２４２とがある。具体的に、充電ケーブル２１の第一端側の部位は、電源配線２１１と信号配線２１２とに分かれている。電源端子２４１は、電源配線２１１の先端に設けられている。一方、信号端子２４２は、信号配線２１２の先端に設けられている。
充電用コネクタ２５は、充電ケーブル２１の長手方向の第二端に設けられている。
【００１８】
図４，５に示すように、取付板部２２は、板状に形成されている。取付板部２２は、充電ケーブル２１を取付板部２２の板厚方向に挿通させる。接続端子２４を設けた第一端を含む充電ケーブル２１の第一部位２１Ａは、取付板部２２に対して板厚方向に向く取付板部２２の第一主面２２ａ側に延びる。一方、充電用コネクタ２５（図１参照）を設けた第二端を含む充電ケーブル２１の第二部位２１Ｂは、取付板部２２に対して第一主面２２ａと反対側に向く取付板部２２の第二主面２２ｂ側に延びる。
【００１９】
図２，３に示すように、取付板部２２は、挿通口１２を形成した筐体２の上部壁１４に重ねて配される。この際、取付板部２２の第一主面２２ａは、筐体２の外側に向く上部壁１４の面に対向する。このため、取付板部２２の第一主面２２ａは、上部壁１４の面の形状に対応するように、平坦に形成されている。本実施形態の取付板部２２は平板状に形成されている。
【００２０】
図５，６に示すように、取付板部２２の第一主面２２ａには、封止部材２６が設けられている。封止部材２６は、接着等によって取付板部２２の第一主面２２ａに固定される。封止部材２６は、取付板部２２のうち充電ケーブル２１が挿通する部分を囲む環状に形成されている。本実施形態において、封止部材２６は、後述する第一支持部３１も囲むように形成されている。さらに、封止部材２６は、取付板部２２を筐体２の上部壁１４に重ねて配した状態で、上部壁１４の挿通口１２が封止部材２６の内側に位置するように形成されている。
封止部材２６は、弾性を有するとよい。封止部材２６は、ゴムやスポンジなどであってよい。封止部材２６は、取付板部２２を筐体２の上部壁１４に押し付けた状態で、取付板部２２と上部壁１４との間に挟まれて弾性的に圧縮変形することにより、取付板部２２と上部壁１４との隙間を埋める。この状態では、外部の水分が筐体２の挿通口１２を通って筐体２の内部に侵入することを防止できる。
【００２１】
図４，５に示すように、ケーブル固定部２３は、取付板部２２に設けられている。ケーブル固定部２３は、取付板部２２に挿通された充電ケーブル２１を締め付けて取付板部２２に固定するケーブルグランドである。ケーブル固定部２３が充電ケーブル２１を締め付けていない状態において、充電ケーブル２１は、取付板部２２に対してその板厚方向に移動可能である。
【００２２】
本実施形態の充電ケーブルユニット３は、充電ケーブル２１を支持する支持部３１，３２をさらに備える。支持部３１，３２は、板厚方向における取付板部２２の両側に設けられる。二つの支持部３１，３２は、それぞれ取付板部２２の板厚方向に直交する方向において充電ケーブル２１を支持する。
【００２３】
二つの支持部３１，３２のうち取付板部２２の第一主面２２ａ側に設けられる第一支持部３１は、充電ケーブル２１の第一部位２１Ａを支持する。具体的に、第一支持部３１は、充電ケーブル２１の第一部位２１Ａのうち取付板部２２の近傍に位置する部分を支持する。
【００２４】
本実施形態において、第一支持部３１は、取付板部２２の第一主面２２ａから取付板部２２の板厚方向に延びている。図４，６に示すように、第一支持部３１は、支持板部３３と、一対の側板部３４と、を備える。
支持板部３３は、平板状に形成されている。支持板部３３は、取付板部２２の第一主面２２ａから取付板部２２の板厚方向に延びる。支持板部３３は、その板厚方向において充電ケーブル２１の第一部位２１Ａを支持する。支持板部３３には、その板厚方向に貫通する貫通孔３３Ａが形成されている。貫通孔３３Ａには、後述するコアの一部が挿入される。
一対の側板部３４は、それぞれ板状に形成されている。一対の側板部３４は、取付板部２２の板厚方向に直交する支持板部３３の幅方向（図６において左右方向）の両側から、支持板部３３の板厚方向の一方側（図６において下方）に延びる。各側板部３４の板厚方向は、支持板部３３の幅方向に一致している。一対の側板部３４は、それぞれ支持板部３３に一体に形成されている。
【００２５】
第一支持部３１は、充電ケーブル２１の第一部位２１Ａと共に筐体２の挿通口１２に挿通できる程度の大きさに形成されている。具体的に、高さ方向（図６において上下方向）における第一支持部３１の高さ寸法は、挿通口１２の高さ寸法よりも十分に小さい。また、幅方向（図６において左右方向）における第一支持部３１の幅寸法は、挿通口１２の幅寸法よりも小さい。
【００２６】
図４，５に示すように、二つの支持部３１，３２のうち、取付板部２２の第二主面２２ｂ側に設けられる第二支持部３２は、充電ケーブル２１の第二部位２１Ｂを支持する。具体的に、第二支持部３２は、充電ケーブル２１の第二部位２１Ｂのうち取付板部２２の近傍に位置する部分を支持する。
【００２７】
本実施形態において、第二支持部３２は、取付板部２２の第二主面２２ｂに対して取付板部２２の板厚方向に間隔をあけて位置する。
第二支持部３２は、一対の接続板部３５を介して取付板部２２に接続されている。一対の接続板部３５は、取付板部２２の板厚方向に直交する取付板部２２の幅方向の両側から取付板部２２の第二主面２２ｂ側に延びている。一対の接続板部３５は、取付板部２２に一体に形成されている。第二支持部３２は、一対の接続板部３５に対して着脱可能に取り付けられてもよいし、一対の接続板部３５に対して一体に形成されてもよい。
【００２８】
これら二つの支持部３１，３２は、図示例のように、取付板部２２の板厚方向に直交する方向において、充電ケーブル２１を互いに同じ側から支持してもよいし、例えば互いに異なる側から支持してもよい。
【００２９】
図２〜５に示すように、本実施形態の充電ケーブルユニット３は、コア３６及び保持部３７をさらに備える。
コア３６は、環状に形成されている。コア３６は、図示例のように円形の環状に形成されてよいし、例えば矩形や多角形の環状に形成されてもよい。コア３６は、フェライト系、アモルファス系などの高透磁率材料によって構成される。コア３６は、取付板部２２の第一主面２２ａから延びる充電ケーブル２１の第一部位２１Ａを挿通させた上で、取付板部２２の近傍に配される。すなわち、コア３６には、充電ケーブル２１の第一部位２１Ａのうち取付板部２２の近傍に位置する部分が挿入される。コア３６は、充電ケーブル２１（特に第一部位２１Ａ）に流れる電流から回路部１１等で発生する電磁気的なノイズを除去する。
本実施形態の充電ケーブルユニット３は、コア３６を複数（図示例では二つ）備える。複数のコア３６は、充電ケーブル２１の長手方向に配列される。
【００３０】
図４，５に示すように、保持部３７は、第一支持部３１に取り付けられ、充電ケーブル２１を保持すると共に、コア３６を取付板部２２との間に保持する。
本実施形態の保持部３７は、Ｕ字状に形成された帯状の部材である。保持部３７は、その両端をねじ止めによって第一支持部３１に固定することで第一支持部３１に取り付けられる。すなわち、保持部３７は第一支持部３１に対して着脱可能に取り付けられる。保持部３７は、第一支持部３１に取り付けられた状態において、第一支持部３１と共に充電ケーブル２１の第一部位２１Ａを囲むことで、充電ケーブル２１の第一部位２１Ａを第一支持部３１に保持する。また、保持部３７は、第一支持部３１に取り付けられた状態において、コア３６が取付板部２２と保持部３７との間から抜け出ることを防ぐ。すなわち、コア３６は、取付板部２２と保持部３７との間に保持される。
【００３１】
図４〜６に示すように、前述した第一支持部３１には、突起３８が設けられている。突起３８は、弾性変形可能に形成されている。突起３８は、取付板部２２の板厚方向に直交する直交方向における第一支持部３１の端部から突出する。具体的に、突起３８は、第一支持部３１の一対の側板部３４にそれぞれ設けられている。突起３８は、支持板部３３の幅方向において第一支持部３１の外側に向く一対の側板部３４の外面（第一支持部３１の両方の端部）からそれぞれ突出する。
図５，６に示すように、本実施形態の突起３８は、取付板部２２の板厚方向に延びる帯状に形成されている。また、突起３８は、第一支持部３１の各側板部３４に二つずつ設けられている。二つの突起３８は、高さ方向（図６において上下方向）に間隔をあけて配列されている。また、二つの突起３８は、互いに取付板部２２の板厚方向にずれて位置している。
【００３２】
図６に示すように、突起３８を含む第一支持部３１の幅寸法は、筐体２の挿通口１２の幅寸法よりも大きい。このため、第一支持部３１を筐体２の挿通口１２に通す際には、突起３８が挿通口１２の縁に引っ掛かる。ただし、第一支持部３１が挿通口１２を通る方向において所定以上の力を第一支持部３１に加えた際には、突起３８が弾性的に圧縮変形する。これにより、第一支持部３１を筐体２の挿通口１２に通すことができる。
【００３３】
各突起３８の具体的な構成、及び、第一支持部３１に対する各突起３８の取付手法は任意であってよい。本実施形態の突起３８は、弾性変形可能な樹脂材料からなる結束バンドによって構成されている。図５に示すように、結束バンドは、側板部３４に貫通して形成された二つの孔３４ａに通すことで、側板部３４に取り付けられる。結束バンドのうち側板部３４の外面に配される部位が、突起３８として構成される。
【００３４】
図２，３に示すように、本実施形態の急速充電装置１は、上記した充電ケーブルユニット３を筐体２に固定するための固定部材５をさらに備える。固定部材５は、充電ケーブル２１が筐体２の挿通口１２に挿通され、かつ、取付板部２２が筐体２の上部壁１４に重ねられた状態で、取付板部２２を上部壁１４に対して着脱自在に固定する。
本実施形態の固定部材５は、取付板部２２を上部壁１４にねじ止めするねじである。取付板部２２は、固定部材５であるねじが、取付板部２２に形成された挿通孔２２Ｃに通された上で、上部壁１４に形成された雌ねじ孔１４Ｃに噛み合うことで、上部壁１４に固定される。
【００３５】
次に、本実施形態の急速充電装置１において、充電ケーブルユニット３を筐体２に取り付ける取付方法の一例について説明する。
充電ケーブルユニット３を筐体２に取り付ける際には、はじめに、充電ケーブル２１の第一部位２１Ａ及び第一支持部３１を筐体２の外側から上部壁１４の挿通口１２に通し、取付板部２２を上部壁１４に重ねる。次いで、取付板部２２を固定部材５であるねじによって上部壁１４に固定する。これにより、取付板部２２が上部壁１４に押し付けられ、封止部材２６が取付板部２２と上部壁１４との間に挟まれる。最後に、充電ケーブル２１の接続端子２４を筐体２の回路部１１に接続することで、充電ケーブルユニット３の取付方法が完了する。
【００３６】
上記した取付方法において、作業者は、取付板部２２を上壁部１４に重ねた後に、固定部材５であるねじ及びこれを操作するドライバーを手で持つために、充電ケーブルユニット３（特に取付板部２２やその周辺部位）から手を離す必要がある。しかしながら、取付板部２２は、鉛直方向において筐体２の上部壁１４の下側に位置する。このため、取付板部２２を上壁部１４に固定する前に充電ケーブルユニット３から手を離すと、取付板部２２やその周辺部位（充電ケーブル２１の第一部位２１Ａ、第一支持部３１など）を含む充電ケーブルユニット３の部分が、自重によって落下しようとする。ただし、本実施形態では、第一支持部３１に設けられた突起３８が挿通口１２の縁に引っ掛かるため、挿通口１２に対する第一支持部３１の通過を一時的に停止できる。これにより、上記した充電ケーブルユニット３の部分が不意に落下することを抑制できる。
【００３７】
次に、充電ケーブルユニット３を筐体２から取り外す取り外し方法の一例について説明する。
充電ケーブルユニット３を筐体２から取り外す際には、はじめに、充電ケーブル２１の接続端子２４を筐体２の回路部１１から取り外す。次いで、固定部材５であるねじを取り外して、筐体２の上部壁１４に対する取付板部２２の固定を解除する。最後に、上記した充電ケーブルユニット３の部分を筐体２の外側に引き出すことで、充電ケーブルユニット３の取り外し方法が完了する。
【００３８】
上記した取り外し方法では、取付板部２２の固定を解除した状態において、作業者が取付板部２２やその周辺部位から手を離すと、前述した取付方法の場合と同様に、取付板部２２やその周辺部位を含む充電ケーブルユニット３の部分が、自重によって落下しようとする。ただし、第一支持部３１に設けられた突起３８が挿通口１２の縁に引っ掛かるため、上記した充電ケーブルユニット３の部分が不意に落下することを抑制できる。
【００３９】
また、上記した取付方法や取り外し方法において、充電ケーブルユニット３の第一支持部３１を筐体２の挿通口１２に通す際には、突起３８が弾性的に圧縮変形した状態で、突起３８を含む第一支持部３１が挿通口１２を通る。特に、突起３８は弾性的に圧縮変形して挿通口１２の縁に押し付けられる。このため、充電ケーブルユニット３の第一支持部３１を筐体２の挿通口１２に通す際に、作業者が上記した充電ケーブルユニット３の部分から手を離しても、上記した充電ケーブルユニット３の部分が自重等によって落下する速度を小さくすることができる。
【００４０】
以上説明したように、本実施形態の充電ケーブルユニット３及び急速充電装置１によれば、充電ケーブルユニット３の取付板部２２を筐体２の上部壁１４に重ねて配置し、固定部材５によって取付板部２２を筐体２の上部壁１４に固定するだけで、充電ケーブルユニット３を筐体２に取り付けることができる。したがって、充電ケーブル２１を短時間で筐体２に取り付けることができる。
なお、筐体２の内部に延びる充電ケーブル２１の長さは、充電ケーブルユニット３を製造する際に予め調整できる。また、ケーブル固定部２３による充電ケーブル２１の締め付けも、充電ケーブルユニット３を製造する際に適正に実施できる。このため、充電ケーブル２１の長さ調整や充電ケーブル２１の締め付けは、充電ケーブル２１を筐体２に取り付ける作業時間に含まれない。
【００４１】
急速充電装置１では、充電ケーブル２１に大電流を流す必要があるため、充電ケーブル２１の重量が重い。このため、充電ケーブル２１の取り付け作業はかなりの重労働となる。これに対し、本実施形態の充電ケーブルユニット３及び急速充電装置１によれば、前述したように充電ケーブル２１を短時間で筐体２に取り付けることができる。このため、重量が重い充電ケーブル２１の取り付け作業の軽減を図ることができる。
【００４２】
また、本実施形態の充電ケーブルユニット３によれば、板厚方向における取付板部２２の両側に充電ケーブル２１を支持する支持部３１，３２が設けられている。このため、充電ケーブル２１のうち取付板部２２を通る部分に、充電ケーブル２１の自重等に基づく応力が集中することを抑制できる。したがって、充電ケーブル２１の保護を図ることができる。特に、充電ケーブルユニット３を筐体２に取り付ける前の状態において、充電ケーブル２１の保護を図ることができる。
【００４３】
また、本実施形態の充電ケーブルユニット３によれば、第一支持部３１に支持された充電ケーブル２１の第一部位２１Ａが、第一支持部３１に取り付けられた保持部３７によって第一支持部３１に保持される。このため、充電ケーブル２１の第一部位２１Ａが過度に曲がってしまうことを防止できる。また、充電ケーブル２１の第一部位２１Ａを第一支持部３１によってより安定に支持できる。したがって、充電ケーブル２１の保護をさらに図ることができる。
また、接続端子２４を含む充電ケーブル２１の第一部位２１Ａが保持部３７によって第一支持部３１に保持されることで、充電ケーブルユニット３を筐体２に取り付ける際に、充電ケーブル２１の接続端子２４を簡単に制御部に接続することができる。
【００４４】
また、保持部３７は、充電ケーブル２１の第一部位２１Ａを挿通させたコア３６を、取付板部２２との間に保持する。このため、コア３６は保持部３７によって取付板部２２の近傍に保持される。すなわち、コア３６は、筐体２内部に配される充電ケーブル２１の第一部位２１Ａのうち筐体２の外側に配される充電ケーブル２１の第二部位２１Ｂの近くに位置する。これにより、回路部１１等で発生する電磁気的なノイズが、筐体２の外側に配される充電ケーブル２１の第二部位２１Ｂに影響することを好適に抑制できる。以下、この点について説明する。
【００４５】
例えば、コア３６が取付板部２２から離れて位置する場合には、充電ケーブル２１の第一部位２１Ａのうちコア３６と取付板部２２との間に位置する部分が長くなってしまう。このため、コア３６と取付板部２２との間において充電ケーブル２１の第一部位２１Ａに流れる電流に電磁気的なノイズが乗ってしまい、当該ノイズが充電ケーブル２１の第二部位２１Ｂに影響する可能性がある。
これに対し、コア３６が取付板部２２の近傍に位置する場合には、充電ケーブル２１の第一部位２１Ａのうちコア３６と取付板部２２との間に位置する部分を短くするあるいは無くすことができる。これにより、コア３６と取付板部２２との間において充電ケーブル２１の第一部位２１Ａに流れる電流に電磁気的なノイズが乗ることを抑制又は防止できる。したがって、当該ノイズが充電ケーブル２１の第二部位２１Ｂに影響することを好適に抑制できる。
【００４６】
また、保持部３７は、充電ケーブル２１の保持と、コア３６の保持とを兼用している。これにより、充電ケーブル２１及びコア３６をそれぞれ別個の部材で保持する場合と比較して、充電ケーブルユニット３の構成部品点数を削減できる。
【００４７】
また、ノイズ除去用のコア３６が充電ケーブルユニット３に含まれていることで、充電ケーブル２１を筐体２に取り付けた後にコア３６を充電ケーブル２１に取り付ける従来の場合と比較して、充電ケーブル２１を筐体２に取り付ける際に充電ケーブル２１にコア３６を取り付ける作業が不要となる。したがって、筐体２に対して充電ケーブル２１及びコア３６を取り付ける作業時間を短縮することができる。
【００４８】
また、本実施形態の充電ケーブルユニット３によれば、筐体２内部への水分の侵入を防ぐための封止部材２６が取付板部２２に設けられている。このため、充電ケーブルユニット３を交換する際に、封止部材２６も同時に交換することができる。すなわち、封止部材２６が筐体２側（上部壁１４）に設けられる場合と比較して、封止部材２６を容易に交換することができる。また、封止部材２６の交換頻度を高めることができるため、封止部材２６の劣化を防いで、筐体２の防水性を確保することができる。
例えば、封止部材２６が筐体２側に設けられる場合には、封止部材２６を筐体２から剥がす必要があり、面倒である。このため、封止部材２６を交換する頻度が少なくなり、封止部材２６の劣化を招く可能性がある。これに対し、封止部材２６が充電ケーブルユニット３側に設けられる場合には、封止部材２６を容易に交換できる。このため、封止部材２６の交換頻度を高めて、封止部材２６の劣化を防ぐことができる。
【００４９】
また、本実施形態の充電ケーブルユニット３によれば、筐体２の挿通口１２に通す第一支持部３１に、弾性的に変形可能な突起３８が設けられている。このため、突起３８を含む第一支持部３１を筐体２の挿通口１２に通す際には、突起３８を挿通口１２の縁に引っ掛けることで、挿通口１２に対する第一支持部３１の通過を一時的に停止できる。これにより、充電ケーブルユニット３を筐体２に取り付ける際、また、充電ケーブルユニット３を筐体２から取り外す際に、充電ケーブルユニット３（特に取付板部２２及びその近傍部分）が不意に筐体２から落下することを抑制できる。
【００５０】
また、本実施形態の充電ケーブルユニット３では、二つの突起３８が取付板部２２の板厚方向に互いにずれて位置する。このため、取付板部２２の近くに位置する一方の突起３８が圧縮変形して挿通口１２の内側に通る状態にあっても、取付板部２２から離れて位置する他方の突起３８が挿通口１２の縁に引っ掛かる。これにより、挿通口１２に対する第一支持部３１の通過を再度停止することができる。したがって、充電ケーブルユニット３（特に取付板部２２及びその近傍部分）が不意に落下することを抑制できると共に、充電ケーブルユニット３が落下しようとしていることを作業者に認識させることもできる。
【００５１】
また、本実施形態の充電ケーブルユニット３では、突起３８が結束バンドによって構成されている。このため、突起３８が劣化しても、突起３８を容易に交換することができる。
【００５２】
以上、本発明の詳細について説明したが、本発明は上述した実施形態に限定されるものではなく、本発明の主旨を逸脱しない範囲において種々の変更を加えることができる。
【００５３】
本発明の充電ケーブルユニットにおいて、筐体の壁部に対向する取付板部の第一主面は、平坦に形成されることに限らず、少なくとも取付板部が重ねて配される筐体の壁部の面に対応する形状に形成されればよい。すなわち、筐体の壁部の面が湾曲している場合、取付板部の第一主面は、筐体の壁部の面に対応する湾曲面に形成されてよい。また、取付板部は、例えば湾曲した板状に形成されてもよい。
【００５４】
本発明の充電ケーブルユニットにおいて、充電ケーブルを支持する支持部は、例えば板厚方向において取付板部の一方側のみに設けられてもよい。
【００５５】
本発明の急速充電装置において、筐体の挿通口は、窪み部をなす上部壁に限らず、例えば下壁部に形成されてもよい。また、筐体の挿通口は、例えば筐体の側面をなす壁部に形成されてもよい。
【００５６】
本発明の急速充電装置において、固定部材は、例えば取付板部を磁力によって筐体の壁部に吸着させるマグネットであってもよい。この場合には、取付板部を筐体の壁部に重ねるだけで、取付板部を筐体の壁部に固定することができる。したがって、充電ケーブルユニットをさらに短い時間で筐体に取り付けることが可能となる。
【００５７】
本発明の急速充電装置において、充電ケーブルユニットの取付板部は、筐体の壁部の外面に重なることに限らず、例えば筐体の壁部の内面に重なってもよい。すなわち、充電ケーブルユニットを筐体に取り付ける際には、例えば充電ケーブルを筐体の内側から挿通口に通してもよい。
【符号の説明】
【００５８】
１  急速充電装置
２  筐体
３  充電ケーブルユニット
５  固定部材
１１回路部
１２  挿通口
１４  上部壁（壁部）
２１  充電ケーブル
２１Ａ  第一部位
２１Ｂ  第二部位
２２  取付板部
２２ａ  第一主面
２２ｂ  第二主面
２３  ケーブル固定部
２４  接続端子
２５  充電用コネクタ
２６  封止部材
３１  第一支持部
３２  第二支持部
３６  コア
３７  保持部
３８  突起
【図１】
2020099163.tif 000003
【図２】
2020099163.tif 000004
【図３】
2020099163.tif 000005
【図４】
2020099163.tif 000006
【図５】
2020099163.tif 000007
【図６】
2020099163.tif 000008